(57)【要約】【課題】  本考案は、光源からの熱や長期間の使用による変色・変形が生じ難い、デザイン性に優れた陶磁器製の照明用シェードを提供することを目的とする。【解決手段】  光源１２に覆設される照明器具用のシェードであって、該シェードが陶磁器で成り、且つ該シェードに透かし彫りによる開口部１３が形成されたことを特徴とする照明用シェード１である。【選択図】  図１
0003116196.tif 000002
【実用新案登録請求の範囲】
【請求項１】
光源に覆設される照明器具用のシェードであって、
該シェードが陶磁器で成り、且つ該シェードに透かし彫りによる開口部が形成されたことを特徴とする照明用シェード。
【請求項２】
前記シェードの厚みが５〜２０ｍｍである請求項１に記載の照明用シェード。
【請求項３】
前記シェードの全面に対する前記開口部の割合が２０〜８０％である請求項１又は請求項２に記載の照明用シェード。
【請求項４】
前記開口部が、前記シェードの上端から少なくとも４０ｍｍより下方であって、且つ下端から少なくとも２０ｍｍより上方の位置に形成された請求項１乃至請求項３の何れかに記載の照明用シェード。
【請求項５】
前記陶磁器が軽量陶器である請求項１乃至請求項４の何れかに記載の照明用シェード。
【請求項６】
前記陶磁器が施釉されて成る請求項１乃至請求項５の何れかに記載の照明用シェード。
【請求項７】
前記開口部が、前記シェードの内側から透光性を有する紙、合成樹脂板、ガラス板の何れかで塞がれた請求項１乃至請求項６の何れかに記載の照明用シェード。
【考案の詳細な説明】
【技術分野】
【０００１】
本考案は、陶磁器製の照明用シェードに関する。
【背景技術】
【０００２】
従来の照明用シェード、特に室内照明用のシェードとしては、樹脂製やガラス製のものが殆どである。中でも樹脂製のシェードは、透光性に優れると共に非常に軽量であるため、シーリングライト、ペンダントライト、スタンドライト等、あらゆる照明器具に広く一般的に使用されている。また、ガラス製のシェードは、透光性・彩色性・デザイン性に優れており、シャンデリア、ペンダントライト等に主に使用されている。
【０００３】
更にその他の照明用シェードとして、例えば木枠に和紙やアクリル板を貼着して和の雰囲気を演出したシェードや、主にスタンドライトに使用される布製のシェード等もある。
【考案の開示】
【考案が解決しようとする課題】
【０００４】
照明用シェードは、照明器具と一体となって室内空間の雰囲気作りに多大な影響を与える要素の一つであるが、従来の照明用シェードとしては上述した樹脂製やガラス製ものが殆どであった。従って、照明器具の全体形状は種々のデザインの中から選択できるが、照明器具に係るシェードの素材自体は選択の余地がなかった。
【０００５】
特に、樹脂製シェードは透光性に優れ軽量であるが、その殆どが乳白色のアクリル樹脂製で質感に乏しく、また照明器具の光源からの熱によってシェードに歪みが生じたり、変色したりする問題がある。
【０００６】
また、ガラス製のシェードはデザイン性に優れ高級感を演出できるが、ガラス特有の透明感により暖かみに欠ける。更に、和紙や布製のシェードについても、光源からの熱や長期間の使用による劣化は避けられない。
【０００７】
そこで本考案は、光源からの熱や長期間の使用による変色・変形が生じ難い、デザイン性に優れた陶磁器製の照明用シェードを提供することを目的とする。
【課題を解決するための手段】
【０００８】
即ち、本考案の要旨とするところは、光源に覆設される照明器具用のシェードであって、該シェードが陶磁器で成り、且つ該シェードに透かし彫りによる開口部が形成されたことを特徴とする照明用シェードである。
【０００９】
かかる照明用シェードにおいて、前記シェードの厚みは５〜２０ｍｍであることが好ましい。
【００１０】
かかる照明用シェードにおいて、前記シェードの全面に対する前記開口部の割合は２０〜８０％であることが好ましい。
【００１１】
かかる照明用シェードにおいて、前記開口部は、前記シェードの上端から少なくとも４０ｍｍより下方であって、且つ下端から少なくとも２０ｍｍより上方の位置に形成されることが好ましい。
【００１２】
かかる照明用シェードにおいて、前記陶磁器は軽量陶器であり得る。
【００１３】
かかる照明用シェードにおいて、前記陶磁器が施釉されて成り得る。
【００１４】
かかる照明用シェードにおいて、前記開口部が、前記シェードの内側から透光性を有する紙、合成樹脂板、ガラス板の何れかで塞がれてもよい。
【考案の効果】
【００１５】
本考案によると、シェード部が陶磁器製であるため、照明器具に係る光源からの熱や長期間の使用による変色・変形が生じ難い照明用シェードが提供できる。
【００１６】
また、本考案によると、デザイン性に優れ、趣のある照明用シェードが提供できる。
【考案を実施するための最良の形態】
【００１７】
以下、本考案の態様を図面に基づいて説明するが、本考案の態様は以下に示したものに限定されない。
【００１８】
図１に、本考案の照明用シェードの実施形態を示す。本実施形態に係る照明用シェード１は、例えば同図に示すようなペンダントライト１０、即ち天井１１から吊設される照明器具に好適に採用し得るシェードであって、電球や蛍光灯等の光源１２に覆設されるものである。この照明用シェード１は陶磁器で成り、且つ透かし彫りによって開口部１３が形成されている。具体的には、まず原料となる粘土或いは陶土を轆轤により成形して照明用シェード１の原形となる略円錐台形状の成形品を作製し、この成形品に透かし彫りによって開口部１３を形成する。そして、この開口部１３が形成された成形品を乾燥・焼成することによって、本実施形態に係る照明用シェード１が得られる。なお、照明用シェード１には、その下縁により円形の開口１４が形成されており、照明用シェード１で覆われた光源１２からの光によって、ペンダントライト１０の下方が照らされる。また、照明用シェード１の頂上部にも、光源１３を取り付けるための開口１５が形成されている。
【００１９】
ここで、照明用シェード１に形成される開口部１３について、まず照明用シェード１の全面に対する開口部１３の割合（以下、「開口率」という。）は特に限定されないが、投光性・照明用シェード１の軽量化等の観点から、開口率を２０〜８０％とすることが好ましい。開口率が２０％未満であると、照明用シェード１が重くなると共に、照明用シェード１によってペンダントライト１０の上方や周辺を照らすための光が殆ど遮られるため、天井１１や周囲の壁面が暗くなり室内照明としてはあまり好ましくない。一方、開口率が８０％を超えると、照明用シェード１の強度不足を招く恐れがあると共に、照明用シェード１の作製も非常に困難となる。
【００２０】
また、開口部１３の形成位置について、まず照明用シェード１の上端から開口部１３の上端までの上部間隔Ｈは４０〜１００ｍｍとすることが好ましい。即ち、開口部１３を照明用シェード１の上端から少なくとも４０ｍｍ空けて形成することによって、照明用シェード１の強度を確保することができる。一方、照明用シェード１の下端から開口部１３の下端までの下部間隔Ｌは２０〜１００ｍｍとすることが好ましい。即ち、開口部１３を照明用シェード１の下端から少なくとも２０ｍｍ空けて形成することによって、照明用シェード１の強度を確保することができると共に、照明用シェード１を得るための開口部１３が形成された成形品の乾燥・焼成工程に於いて、当該成形品の破損を防止することができる。以上より、開口部１３は、照明用シェード１の上端から少なくとも４０ｍｍより下方であって、且つ照明用シェード１の下端から少なくとも２０ｍｍより上方の位置（範囲内）に形成されることが好ましい。
【００２１】
以上、本実施形態に係る照明用シェード１について詳述したが、本考案の照明用シェードは上記の態様に限定されない。例えば、開口部１３の形状、即ち透かし彫りによって照明用シェード１に形成される模様の態様は図示した幾何学的模様に限定されず、ペンダントライト１０が吊設される室内空間の雰囲気、使用者・作製者の趣味・趣向等に合わせて種々の態様を採用することができる。
【００２２】
また、照明用シェード１の厚みＷは特に限定されるものではないが、照明用シェード１の強度確保・軽量化等の観点から５〜２０ｍｍとすることが好ましい。
【００２３】
更に、本考案の照明用シェードは、軽量陶器で作製されることが特に好ましい。陶磁器製品は比較的重量が重くなるため、ペンダントライト１０のように天井１１から吊設される照明器具に於いては照明用シェード１の軽量化も重要な課題となるが、本考案の照明用シェードを軽量陶器で作製することにより、開口部１３の形成と相俟って、照明用シェードの軽量化が図られる。なお、軽量陶器で成る照明用シェードは、成形品を作製する際に、例えば原料となる粘土或いは陶土に発泡剤を混入する、或いは成形品の焼成時に消失する粉体（樹脂粉体等）を混入する、といった方法によって得ることができる。
【００２４】
また、本考案の陶磁器で成る照明用シェードは素焼きのものであっても良く、或いは施釉されて成るものであっても良い。素焼きの照明用シェードであれば、素朴で温かみのある室内空間を演出することができ、施釉されて成る照明用シェードであれば、照明用シェードに高級感が付加され、素焼きの照明用シェードとは違った趣のある室内空間を演出することができる。
【００２５】
以上のように、本考案の照明用シェードは陶磁器製であるため、照明用シェードが光源からの熱や長期間の使用によって変色・変形する恐れがない。また、照明用シェードに係る開口部の形状や焼成方法の違いによって、種々のデザイン性に優れた照明用シェードを提供することができる。
【００２６】
なお、本考案の照明用シェードは上記の態様に限定されず、例えば本考案の照明用シェードに係る開口部が、照明用シェードの内側から透光性を有する紙（和紙等）や合成樹脂板（アクリル板等）、ガラス板等で塞がれてもよい。開口部を例えば和紙、アクリル板、ステンドグラス等で塞ぐことによって、開口部から発散する光源からの光が和らげられ、上述した各種態様とはまた趣の異なる照明用シェード、更には当該照明用シェードを備えた照明器具を提供することができる。
【００２７】
また、本考案の照明用シェードの外形状は図１に示した円錐台形状に限定されず、例えば円柱状、角柱状、角錐台状、球帯状等が挙げられる。
【００２８】
更に、本考案の照明用シェードは図１に示したペンダントライト用に限定されず、スポットライトやスタンドライトといった他の照明器具のシェードとして採用することができる。
【００２９】
以上、本考案の照明用シェードについて説明したが、本考案はその趣旨を逸脱しない範囲で、当業者の知識に基づき種々の改良、修正、変形を加えた態様で実施し得るものである。
【図面の簡単な説明】
【００３０】
【図１】本考案の照明用シェードの実施形態を示す正面図である。
【符号の説明】
【００３１】
１：照明用シェード
１２：光源
１３：開口部
Ｈ：上部間隔
Ｌ：下部間隔
Ｗ：厚み
【図１】
0003116196.tif 000003